(57)【特許請求の範囲】
【請求項１】
電子イメージセンサ（４９）、
前記イメージセンサ（４９）によって取得された画像（３０’）及び／又はビデオを表示するように構成される電子ビューファインダ（３４）
を有し、且つ表示スクリーン（１８）であって、
同様に前記イメージセンサ（４９）によって取得された画像（３０）及び／又はビデオを表示するように構成され、
前記電子ビューファインダ（３４）とは独立しており、
外周境界（１９）によって画定され、
タッチセンサ表面（２０）であって、前記表面（２０）のタッチは、前記電子ビューファインダ（３４）において認識可能である、タッチセンサ表面（２０）を有し、及び
触覚認識可能な構造（２６、８４、８８）であって、前記外周境界（１９）の内部に配置され、且つユーザの指（６４）が前記構造（２６、８４、８８）上でそれ自体の位置を定めることができるように設計される触覚認識可能な構造（２６、８４、８８）を有する、表示スクリーン（１８）を有するデジタルカメラ（１０、１０’、１０’’）であって、
前記表示スクリーンの前記表面（２０）は、相互に対して傾斜して配置される２つの平坦な区画（２２、２４）を有し、及び前記触覚認識可能な構造は、屈曲稜線（２６）として形成され、前記屈曲稜線（２６）において、前記２つの区画（２２、２４）は、相互に隣接し、
前記屈曲稜線（２６）は、前記デジタルカメラ（１０、１０’、１０’’）のハウジングの屈曲稜線（２８）と同一平面にあり、前記２つの区画（２２、２４）は、前記屈曲稜線（２８）の領域における屈曲の内側に配置される、デジタルカメラ（１０、１０’、１０’’）。
【請求項２】
機械的押しボタンとして設計されたトリガ（３８）を有し、及び前記屈曲稜線（２６）は、ユーザが右手の人差し指（６２）を用いて前記トリガ（３８）を作動させる間、前記屈曲稜線（２６）が前記ユーザの右手の親指（６４）によって感じられ得るように設計される、請求項１に記載のデジタルカメラ。
【請求項３】
前記屈曲稜線（２６）は、少なくとも実質的に直線であり、且つ前記デジタルカメラの光軸（４４）が水平に整列され、及び前記デジタルカメラが横フォーマットで画像を記録するための向きにされる場合に縦方向に延びる、請求項１又は２に記載のデジタルカメラ。
【請求項４】
前記デジタルカメラの異なる機能（Ａ、Ｂ、Ｃ）に関連付けられる記号が前記デジタルカメラの現在の動作状態に応じて縦方向に下へと表示され得る区画は、前記電子ビューファインダ３４内に画定され、
前記異なる記号は、前記ユーザが、縦方向に下へと配置された点で引く動きにおいて前記表示スクリーン（１８）にタッチすることにより、前記ユーザによって連続的にハイライトされ得る、請求項１〜３の何れか一項に記載のデジタルカメラ。
【請求項５】
前記異なる機能は、
第一の機能（Ａ）であって、その呼び出し時にメニューが開き、記憶されていた画像（７０）及び／又はビデオ（７２）が表示され得る、第一の機能（Ａ）、
第二の機能（Ｂ）であって、その呼び出し時に前記デジタルカメラが記録モードにされ、画像（３０）及び／又はビデオが記録され得る、第二の機能（Ｂ）、
第三の機能（Ｃ）であって、その呼び出し時にメニューが開き、設定が変更され得る、第三の機能（Ｃ）
を含む、請求項４に記載のデジタルカメラ。
【請求項６】
さらなるサブメニュー又はコントローラ（８２’）であって、縦方向の引く動きにより、それから機能又はパラメータの値が選択され得る、さらなるサブメニュー又はコントローラ（８２’）は、前記ユーザが記号をハイライトした後、前記表示スクリーン（１８）上での水平方向の引く動きにより、前記ユーザによって呼び出し可能である、請求項４又は５に記載のデジタルカメラ。
【請求項７】
ユーザが前記電子ビューファインダ（３４）を通して見るときに前記ユーザの頭部の存在を検出するように構成された近接センサ（３６）を含み、前記ユーザが前記電子ビューファインダ（３４）を通して見る場合、タッチ感応性は、前記表示スクリーン（１８）の前記第一の区画（２２）でオフにされ、及びタッチ感応性は、前記表示スクリーン（１８）の前記第二の区画（２４）で維持される、請求項１〜６の何れか一項に記載のデジタルカメラ。
【請求項８】
前記表示スクリーンは、前記屈曲稜線（２６）の領域内で曲げられる透明なペイン（５２）を有する、請求項１〜７の何れか一項に記載のデジタルカメラ。
【請求項９】
前記表示スクリーンの前記表面は、実質的に平坦な区画を有し、及び追加的な触覚認識可能な構造は、前記平坦な区画内において、突起（８４）、くぼみ（８８）又は触覚認識可能な表面粗さを有する微細構造として形成される、請求項１〜８の何れか一項に記載のデジタルカメラ。
【請求項１０】
複数の機械的操作要素（４０、４２）であって、それを用いて以下の機能：露出時間、開口数、感度及び自動プログラムの少なくとも２つが設定され得る、複数の機械的操作要素（４０、４２）を含む、請求項１〜９の何れか一項に記載のデジタルカメラ。
【請求項１１】
少なくとも幾つかのカメラ機能は、前記タッチセンサ表面（２０）上でのユーザジェスチャと前記機械的操作要素（４０、４２）の少なくとも１つの操作との組合せによってトリガされる、請求項１０に記載のデジタルカメラ。
【発明の詳細な説明】
【技術分野】
【０００１】
本発明は、電子ビューファインダとタッチセンサ表示スクリーンとを有する、写真及び／又はビデオを記録するためのデジタルカメラに関する。
【背景技術】
【０００２】
以前から、デジタルカメラは、写真及びビデオの記録のために市場に定着してきた。従来のアナログカメラでは感光フィルムが記録媒体として使用されるが、デジタルカメラは、電子イメージセンサを利用して画像を取得する。イメージセンサによって生成されたデジタル画像データは、記憶媒体に保存され、さらにデジタル処理され得る。
【０００３】
現在、デジタルカメラは、２つの主な種類、すなわちクラシックカメラと、写真機能を有するスマートフォンとに分けられ得る。
【０００４】
通常、ビデオの記録もこれまでに可能となっているクラシックデジタルカメラにおいて、ハウジングは、光学又は電子ビューファインダを有し、ユーザは、それを通して記録対象の画像を観察してからトリガする。ユーザの眼は、この場合、ビューファインダに近接しているため、光は、外部からビューファインダの画像にまったく届かないか又はごくわずかにのみ届く。したがって、ユーザは、モチーフに照準を合わせ、画像の詳細を特定することができ、眩しい太陽の光又は他の明るい条件下でもビューファインダを利用することに伴う問題は生じない。加えて、通常、より大きい表示スクリーンがハウジングの背面に提供され、それを用いて、記録された画像が観察され得る。デジタルカメラがいわゆるライブビューモードを有する場合、表示スクリーンは、画像の詳細を特定するためにビューファインダの代わりに使用することもできる。
【０００５】
クラシックカメラのハウジングは、一般に、押しボタン、調整ホイール又はロッカボタン等の複数の機械的操作要素を有し、ユーザは、これを用いて、特に頻繁に使用する機能を選択できる。これらの機械的操作要素の利点は、ユーザがこれを指で感じることができ、それらを「直接見ずに」、すなわちまたビューファインダを同時に使用しながら操作できることである。したがって、このようなカメラは、特に（セミ）プロフェッショナルの写真家の間で広く普及している。これに対して、あまり使い慣れていないユーザは、機械的操作要素を使いこなすのが難しいことがある。
【０００６】
内蔵された光学ユニット及びイメージセンサを内蔵するスマートフォンは、第二の種類のデジタルカメラとして一層定着している。スマートフォンのタッチセンサ表示スクリーンは、モチーフに照準を合わせて、画像の詳細を特定するためのみに使用される。写真撮影のための機械的操作要素が利用できないため、操作は、専らスマートフォンのグラフィカルユーザインタフェースを利用して行われ、これは、通常、状況に依存する。したがって、それぞれの状況において使用可能な機能のみがアイコン又は他の文字の形態でユーザに提供される。したがって、例えば、音量コントローラは、スマートフォンがビデオ記録モードにあるときにのみ表示スクリーン上に現れる。
【０００７】
状況依存のグラフィカルユーザインタフェースにより、スマートフォンのカメラは、直感的に操作され得、したがって特にプロフェッショナル以外のユーザに好まれる。プロフェッショナル用としては、スマートフォンの有用性は、これまで限定的にすぎず、なぜなら、光学ユニットの限られた画像生成特性に加えて、外部フラッシュ装置等の付属部品が接続されないからでもある。さらに、素人は、眩しい太陽の光において表示スクリーン上の画像がほとんど見えないことも不便であると感じる。
【０００８】
以前から、クラシックカメラ及びスマートフォンの利点の複合を試みたデジタルカメラが提供されている。これらのデジタルカメラにおいて、クラシックカメラのハウジングの背面の表示スクリーンがタッチセンサ式であり、それによってデジタルカメラもスマートフォンと同様に操作できる。
【０００９】
例えば、Ｓａｍｓｕｎｇ  ＥＫ−ＧＮ１２０では、ハウジングの裏面が実際にスマートフォンによって形成される。操作は、主としてＡｎｄｒｏｉｄオペレーティングシステムに基づくアプリケーションを通して行われ、トリガに加えて、わずかな数の他の機械的操作要素のみがある。しかしながら、タッチセンサ表示スクリーンに表示されるアイコンは、電子ビューファインダで再生されない。したがって、ユーザが電子ビューファインダの表示スクリーンを見ている間にこのカメラを操作することは困難であり得る。
【００１０】
Ｎｉｋｏｎ  Ｄ５５００も同様の機能を有し、その表示スクリーンは、斜めにしたり回転させたりすることができる。ライブビューモードでは、表示スクリーンをタップすることにより、画像にオートフォーカス測定フィールドが自由に設置され得る。しかしながら、ディスプレイを介したライブビューは、光学ビューファインダと同時に操作することはできない。
【００１１】
オートフォーカス測定フィールドだけでなく、プログラム選択のためのアイコン又は彩度を設定するためのスライドコントローラも電子ビューファインダに表示できるデジタルカメラが特開２０１２−８９９７３号公報から知られている。タッチセンサ表示スクリーン上でのタップ又は引く動作により、ユーザは、電子ビューファインダの表示スクリーンを観察しながら、対応する機能を選択したり設定を行ったりすることができる。
【００１２】
これらの既知の操作概念には、ユーザが、電子ビューファインダの使用中、スマートフォンと異なり、親指又は他の指がタッチセンサ表示スクリーン上の何れの箇所にあるかを認識できないという欠点がある。したがって、「直接見ずに」親指を表示スクリーン上の何れかの箇所に置いた場合、例えば意図せず設定が行われるという結果を招き得る。
【００１３】
独国実用新案第２０  ２０１４  ００６  ４０１  Ｕ１号明細書は、タッチスクリーンモニタを有し、その上に仮想ダイヤルが表示されるデジタルカメラを開示している。タッチスクリーンモニタの表面には、表示された調整ホイールの領域内に触覚認識可能な構造が設けられている。この構造は、特にリブ付きガラスであり得る。これにより、ユーザが仮想ダイヤルを偶発的にこすることによって意図せず変更する事態が防止される。
【００１４】
独国特許出願公開第１０  ２０１１  １２０  ２６５  Ａ１号明細書は、タッチスクリーンディスプレイ及び電子ビューファインダを含むデジタルカメラに関する。触覚マーキングがタッチスクリーンの付近に配置される。
【００１５】
独国特許出願公表第１１  ２０１５  ００３  ６９０  Ｔ５号明細書は、ＯＬＥＤディスプレイに関し、これは、柔軟な基板として設計され得、タッチセンサ式であり得る。このような柔軟なタッチセンサ基板を用いた折り畳み可能な携帯情報端末が開示されている。折り畳み中にタッチスクリーンが曲がる。
【００１６】
独国特許出願公開第１０  ２０１１  ０１２  ８３８  Ａ１号明細書は、制御ユニットを手で操作するという操作意図が検出されるユーザインタフェースを提供する方法を開示している。検出された操作意図に基づいて、触覚ユーザ表面が第一の触覚状態から第二の触覚状態に変化する。このようにして、触覚ユーザインタフェースを必要に応じて制御し、現在のユーザの状況に適応させることができる。
【発明の概要】
【発明が解決しようとする課題】
【００１７】
本発明の目的は、電子ビューファインダとタッチセンサ表示スクリーンとを有し、ユーザが電子ビューファインダの表示スクリーンを観察する間にタッチセンサ表示スクリーンがより容易に操作され得るデジタルカメラを明示することである。
【課題を解決するための手段】
【００１８】
この目的は、電子イメージセンサと、イメージセンサによって取得された画像及び／又はビデオを表示するように構成される電子ビューファインダとを有するデジタルカメラによって達成される。デジタルカメラは、加えて、表示スクリーンであって、同様にイメージセンサによって取得された画像及び／又はビデオを表示するように構成される表示スクリーンを有する。表示スクリーンは、電子ビューファインダとは独立しており、且つ外周境界によって画定され、タッチセンサ表面であって、表面のタッチは、電子ビューファインダにおいて認識可能である、タッチセンサ表面を有する。本発明によれば、表示スクリーンは、触覚認識可能な構造であって、外周境界の内部に配置され（すなわち境界の一部ではなく）、且つユーザの指がこの構造上でそれ自体の位置を定めることができるように設計される。表示スクリーンの表面は、相互に対して傾斜して配置される２つの平坦な区画を有し、及び触覚認識可能な構造は、屈曲稜線として形成され、屈曲稜線において、２つの区画は、相互に隣接する。
【００１９】
すでに前述のように、タッチセンサ表示スクリーンを利用したデジタルカメラの制御は、使い勝手の側面で難しく、なせなら、ユーザは、電子ビューファインダを見ながら表示スクリーン及び自らの指を見ることができないからである。表示スクリーン上の本発明による屈曲稜線は、ここで、ユーザの指が屈曲稜線上でそれ自体の位置を定めることができる限り、改善策を提供する。屈曲稜線は、基準線を表すことができ、これは、ユーザの指によって直感的に見つけられ得、且つそれから、指は、他の位置に容易に案内され得、ユーザがこれらの移動を視覚的に直接追う必要がない。
【００２０】
屈曲稜線によって形成される触覚認識可能な構造を提供することは、タッチセンサ表示スクリーンをできるだけ平滑且つ平坦に設計するという原則に背くことを意味する。通常、タッチセンサ表示スクリーン上の稜線及び他の構造は、一般に関係する機器で異なるプログラムが実行され、これは、稜線が何れの地点に配置されるかを考慮できないため、望ましくない。
【００２１】
これに対して、本発明によるデジタルカメラにおいて、グラフィカルユーザインタフェースは、ソフトウェアによって屈曲稜線に適応できる。例えば、複数の記号を表示スクリーン上に表示でき、これらは、屈曲稜線に沿って連続的に配列される。したがって、屈曲稜線により、指で記号を「直接見ずに」下に辿ることが容易となる。記号は、これに関して、アイコンだけでなく、回転又はスライドコントローラ等のより複雑なグラフィクス表現も含むことが理解される。
【００２２】
デジタルカメラが、機械的押しボタンとして設計されたトリガを有する場合、これは、通常、ユーザの右手の人差し指で作動される。したがって、表示スクリーン上の屈曲稜線は、好ましくは、ユーザが右手の人差し指を用いてトリガを作動させる間、屈曲稜線がユーザの右手の親指によって感じられ得るように設計される。親指は、人の手のなかで最も動かしやすい指であるため、ユーザは、タッチセンサ表示スクリーンを特によく操作できる。本発明によるデジタルカメラのために、特に左利きの人向けに設計されるモデルがある場合、表示スクリーン上の屈曲稜線は、したがって、それがユーザの左手の親指で感じられ得るように設計できる。
【００２３】
１つの実施形態において、屈曲稜線は、少なくとも実質的に直線的であり、且つデジタルカメラの光軸が水平に整列され、及びデジタルカメラが横フォーマットで画像を記録するための向きにされる場合に縦方向に延びる。ユーザは、したがって、親指又は他の指を用いて、特に簡単に縦方向に延びる屈曲稜線をなぞることができる。屈曲稜線が水平方向に延びていると、一般に、親指をこの稜線に沿って動かすことがそれほど快適ではない。
【００２４】
これは、とりわけ、ある区画（好ましくは縦方向に延びる）が電子ビューファインダにおいて画定されている場合に有利であり、その場合、デジタルカメラの異なる機能に関連付けられる記号は、デジタルカメラの現在の動作状態に応じて縦方向に下へと表示され得る。したがって、ユーザは、縦方向に下へと配置された点で引く動きにおいて表示スクリーンにタッチすることにより、異なる記号を連続的にハイライトすることかできる。縦方向に延びる屈曲稜線は、表示スクリーン上でのこのような縦移動においてユーザの指を支援する。
【００２５】
操作は、親指又は他の指をタッチセンサ表示スクリーン上で引く動きによって移動させることにより、異なる記号を連続的にハイライトすることができる場合にユーザにとって特に快適である。したがって、特定の記号の選択は、例えば、より強く押すことにより、指を持ち上げることにより、指をディスプレイからてこの状態にした後に繰返しタッチすることにより、又は他の指で押される追加的な確認ボタンにより行われるようにすることができる。
【００２６】
電子ビューファインダ内に表示される記号に関連付けられる各種の機能は、例えば、
第一の機能であって、その呼び出し時にメニューが開き、記憶されていた画像及び／又はビデオが表示され得る、第一の機能、
第二の機能であって、その呼び出し時にデジタルカメラが記録モードにされ、画像及び／又はビデオが記録され得、タッチセンサ表面を利用して、露出時間、スポット測定若しくはオーフォーカス領域又はフラッシュ機能等の特に重要な設定が行われ得る、第二の機能、
第三の機能であって、その呼び出し時にメニューが開き、より使用頻度の低い設定が変更され得る、第三の機能
を含むことができる。
【００２７】
１つの実施形態において、ユーザは、記号をハイライトした後、表示スクリーン上での水平方向の引く動きにより、さらなるサブメニュー又はコントローラであって、縦方向の引く動きにより、それから機能又はパラメータの値が選択され得る、さらなるサブメニュー又はコントローラを呼び出すことができる。したがって、ユーザは、タッチセンサ表示スクリーンを利用した数値の入力等、より複雑な操作手順を、同時に電子ビーファインダを通してモチーフを観察するか、又はすでにそのデジタルカメラによって記録された画像若しくはビデオを見ながら行うこともできる。
【００２８】
１つの実施形態において、タッチセンサ表面のタッチ感応性は、少なくとも１つの追加的な基準、例えばトリガが半押しされること又は加速度センサからの信号がないことが満たされた場合にのみオフにされる。それにより、カメラを持ち運んでいるか又は他に扱っているときに意図せず設定が変更されないようにすることが可能である。
【００２９】
表示スクリーンの表面は、屈曲稜線によって２つの区画に分割され、それに異なる機能をグラフィカルユーザインタフェースと共に割り当てることかできる。２つの区画の一方のみをタッチセンサ式に形成する一方、他方の区画を、タッチ感応性を有さないようにすることも可能である。タッチセンサ式区画の選択は、任意選択により近接センサと同期され得、これは、ユーザが電子ビューファインダを通して見ることを検出して、電子表示ディスプレイでのコンテンツの表示をオフにする。例えば、ユーザが電子ビューファインダを通して見る場合、タッチ感応性は、表示スクリーンの第一の区画においてのみオフにされる一方、タッチ感応性は、表示スクリーンの第二の区画では維持され得る。このようにして、ユーザが、鼻が一瞬表示スクリーンに触ったときにある機能を意図せず呼び出さないようにすることが可能である。さらに、グラフィカルユーザインタインタフェースは、選択される記号が屈曲稜線に沿って下へと配置されるように具現化できる。ユーザは、親指又は他の指を屈曲稜線上に置き、それに沿って動かす場合、非常に好都合に且つ確実に記号をハイライトし、したがって機能をトリガするか又は設定を行うことができる。
【００３０】
タッチセンサ表示スクリーンは、理想的には、屈曲稜線の領域で曲げられる透明なペインを有する。しかしながら、原理上、屈曲稜線に沿って相互に当接する相互に独立した２つの部分的表示スクリーンを有することも考えられる。したがって、屈曲稜線は、隣接する部分的表示スクリーンの隣り合う稜線によって形成され、これらは、表示スクリーンの外周境界の内部にある。
【００３１】
屈曲稜線に加えて、表示スクリーンの表面は、実質的に平坦な区画を有し得、追加的な触覚認識可能な構造は、平坦な区画内において、突起、凹部又は触覚認識可能な表面粗さを有する微細構造として形成される。このような突起又は凹部は、例えば、点状、線形又はリング状であり得る。さらに、相互に離間され、各々の直径が２ｍｍ未満である複数の個々の構造を利用した、ユーザの指がそれ自体の位置を定めることができる複雑な構造パターンを形成することも考えられる。このような構造パターンは、例えば、直線若しくは曲線の形態を有し得るか、又は複数の線の配置で構成され得る。
【００３２】
例えば、表示スクリーン１８のタッチセンサ表面２０に形成された追加的な突起、くぼみ又は他の触覚認識可能な構造は、画像フレームを表し得る。したがって、ユーザの親指は、この画像フレームでさらに向きがわかり得る。特に、外側の線は、触覚認識可能な構造の線によって表され得、画像区域は、追加的な凹みによって９×９のより小さい区域に分割され得る。
【００３３】
屈曲稜線の結果として、タッチセンサ表示スクリーンの操作性が改善されるにもかかわらず、本発明によるデジタルカメラは、好ましくは、複数の機械的操作要素であって、それを用いて以下の機能：露出時間、開口数、感度及び自動プログラムの少なくとも２つが設定され得る、複数の機械的操作要素を有する。このようにして、熟練ユーザは、電子ビューファインダから目を離さずに機械的操作要素を利用して最も重要な設定を非常に迅速に行うことができる。具体的なパラメータの設定は、ハイブリッド式に行うこともでき、その場合、特に頻繁に使用されるパラメータのみが機械的操作要素を介して選択され得る一方、必要となる頻度がより少ないパラメータは、タッチセンサ表示スクリーンでのみ設定可能である。したがって、例えば機械的設定ホイールを利用して、最も頻繁に使用される例えば１／１０〜１／１０００秒の露出時間を直接指定できる。これに対して、１／１０秒より長い露出時間及び１／１０００秒より短い露出時間は、タッチセンサ表示スクリーンを通してのみ設定され得る。
【００３４】
加えて、ユーザは、設定ホイール、押しボタン、スライドコントローラ、ロッカ又は他の機械的操作要素を用いることにより、パラメータを入力する必要のある機能を呼び出すことも可能であり得る。したがって、パラメータの入力は、タッチセンサ表示スクリーンを用いて実行される。したがって、例えば機械的押しボタンを作動させて感度を設定できる。その後、利用可能な感度の選択肢が電子ビューファインダに表示され、ユーザは、タッチセンサ表示スクリーンを使用しながら、その中から選択を行う。屈曲稜線は、この場合、前述のようにユーザを支援する。
【００３５】
反対の順序も可能であり、特定の例において有益であり得る。これは、ユーザが最初にタッチセンサ表示スクリーン上でジェスチャを行い、その後、少なくとも１つの操作要素を用いて最終的な値を選択することを意味する。例えば、露出補正又は焦点測定エリア及びスポット測定位置の設定には、タッチセンサ表示スクリーン上での初期入力と、それに続くフロントホイール又は他の機械的操作要素の操作とが必要であり得る。換言すれば、機能は、一般に、タッチセンサ表面上でのユーザジェスチャと機械的操作要素の少なくとも１つの操作との組合せによってトリガされ得る。
【００３６】
以下では、本発明の好ましい実施形態を図面に基づいてより詳細に説明する。
【図面の簡単な説明】
【００３７】
【図１】触覚認識可能な構造が屈曲稜線として形成され、屈曲稜線においてタッチセンサ表示スクリーンの２つの区画が相互に隣接している、本発明の第一の実施形態によるデジタルカメラの斜視図を示す。
【図２】図１に示されるデジタルカメラの水平断面図を示す。
【図３】記録モードで動作中の図１に示されるデジタルカメラを示す。
【図４】デジタルカメラの電子ビューファインダに示される表示が認識可能である、図３の拡大された詳細を示す。
【図５】ライブラリモードで動作中の図１に示されるデジタルカメラを示す。
【図６】デジタルカメラの電子ビューファインダに示される表示が認識可能である、図５の拡大された詳細を示す。
【図７】設定モードで動作中の図１に示されるデジタルカメラを示す。
【図８】電子ビューファインダに示される表示が認識可能である、図５の拡大された詳細を示す。
【図９】触覚認識可能な構造がタッチセンサ表示スクリーン上の点状隆起部の列によって形成される、本発明の第二の実施形態によるデジタルカメラの斜視図を示す。
【図１０】図９に示されるデジタルカメラの水平断面図を示す。
【図１１】触覚認識可能な構造がタッチセンサ表示スクリーン内の凹んだグリップによって形成される、本発明の第三の実施形態によるデジタルカメラの斜視図を示す。
【図１２】図１１に示されるデジタルカメラの水平断面図を示す。
【発明を実施するための形態】
【００３８】
１．第一の実施形態  −  構造
図１は、本発明の第一の実施形態によるデジタルカメラの斜視図を示し、全体が１０として示される。デジタルカメラ１０は、ハウジング１２を有し、そこで、対物レンズ１４は、その観察者とは反対の前面に取外し可能に固定されている。他の実施形態において、対物レンズ１４は、ハウジング１２に取外し不能に接続される。
【００３９】
外周境界１９及びタッチセンサ表面２０を有する表示スクリーン１８は、ハウジング１２の、図１において観察者と対面する後方壁１６に組み込まれている。表面２０は、第一の平坦な区画２２と、それに対して斜めに配置された第二の平坦な区画２４とに分割される。第二の区画２４は、この場合、第一の区画２２に対してある屈曲角度だけ傾斜され、これは、好ましくは、１５°〜４５°であり、図の実施形態では約２５°である。２つの区画２２、２４は、ハウジングの屈曲稜線２８と同一平面にあり、境界１９内にある屈曲稜線２６に沿って相互に隣接する。
【００４０】
デジタルカメラ１０の図の動作状態では、デジタルカメラ１０により以前に記録されていた画像３０が表示スクリーン１８の第一の区画２２に示されている。機能Ａ、Ｂ及びＣに関連付けられる３つのアイコン３２が表示スクリーン１８の第二の区画２４で下へと示されている。
【００４１】
デジタルカメラ１０は、ハウジング１２の上面に配置された電子ビューファインダ３４を有し、それを用いて、ユーザは、モチーフに照準を当てることができ、イメージセクションを特定できる。電子ビューファインダ３４は、従来の電子ビューファインダと同様に構成され、小型の高解像度表示スクリーンを含み、これは、光学ユニットによって無限遠に結像され、例えばガリレオテレスコープとして設計できる。したがって、ユーザは、電子ビューファインダ３４の接眼レンズを通して見る場合、小型ビューファインダ表示スクリーンの仮想拡大画像を認識できる。電子ビューファインダ３４の直接隣に配置された近接センサ３６を利用して、デジタルカメラ１０は、ユーザが電子ビューファインダ３４を用いているか否かを特定できる。先行技術から知られているように、電子ビューファインダ３４のビューファインダ表示スクリーン及びハウジング１２の背面１６上の表示スクリーン１８をオンにするか又はオフにするかは、それに依存し得る。従来の制御方式への貢献として、タッチ感応性は、表示スクリーン１８の第一の区画２２ではオフにされる一方、タッチ感応性は、第二の区画２４では、近接センサ３６がユーザの頭部の存在を検出しても完全に維持される。その後、ユーザは、依然として、第二の区画２４に表示されたアイコン３２によって表される機能Ａ、Ｂ又はＣの１つを選択し得るか、又はタッチジェスチャを用いて他の何れかのユーザ入力を行い得、これについては後により詳細に説明する。しかしながら、使用は、その頭部が表示スクリーン１８の第一の区画２２に触れたとき、誤って何れかの機能をトリガすることはできない。
【００４２】
ハウジング１２は、加えて、複数の機械的操作要素、とりわけトリガ３８、プログラム設定ホイール４０及び複数の押しボタン４２を有し、これらを用いて頻繁に使用される機能がトリガされ得、且つ特に重要な設定が行われ得る。
【００４３】
図２は、対物レンズ１４の光軸４４の高さの簡略水平断面図においてデジタルカメラ１０を示す。対物レンズ１４の複数のレンズ４６は、対物レンズハウジング４８内に収容されており、この断面図で概略的に示されている。電子イメージセンサ４９は、感光セルの規則的な二次元配置を有し、対物レンズ１４のビーム経路内に配置される。
【００４４】
図２の断面図から、表示スクリーン１８がＬＣＤパネル５０を有することがわかり、これは、曲げられていない。図の実施形態において、表示スクリーン１８のタッチセンサ表面２０は、ガラスペイン５２及びそれによって支持される外側ポリエステル層５４を含む抵抗膜式タッチスクリーンによって形成される。ポリエステル層５４は、先行技術から知られているように、小さいスペーサによってガラスペインから分離される。ガラスペイン５２及びポリエステル層５４の相互に対向する表面は、インジウム鈴酸化物によって被覆され、それによって外側ポリエステル層５４が指又は他の物体でガラスペイン５２に押し付けられると電気接続が確立される。当然のことながら、タッチセンサ表示スクリーン１８は、静電容量式タッチスクリーンとしても実装できる。しかしながら、その場合、ユーザは、手袋をはめてタッチセンサ表示スクリーン１８を操作することができない。
【００４５】
図２からわかるように、表示スクリーン１８のガラスペイン５２は、屈曲稜線２６によって曲げられる。したがって、その結果として、表示スクリーン１８の第二の区画２４を画定するガラスペイン５２の斜めの部分と、斜めではないＬＣＤパネル５０との間に楔状の中間空間ができ、これは、シリコーン５６を用いて埋められる。したがって、第二の区画２４の領域内でＬＣＤパネル５０によって表示されるアイコン３２は、シリコーン５６からなる楔状部、ガラスペイン５２及びポリエステル層５４を通して依然として見える。
【００４６】
イメージセンサ４９及び表示スクリーン１８は、制御ユニット５８に接続され、これは、デジタルカメラ１０のすべての機能を制御する。制御ユニット５８は、特にイメージセンサ４９によって供給される信号の処理、ＬＣＤパネル５０上に表示されるコンテンツの特定、及びタッチセンサ表示スクリーン１８と、トリガ３８、設定ホイール４０及び押しボタン４２等の機械的操作要素とを利用したユーザの入力の処理を担当する。加えて、制御ユニット５８は、デジタルカメラに提供されたアクチュエータを制御して、電子ビューファインダ３４に表示されるコンテンツを特定する。制御ユニット５８は、この目的のために複数の個々のサブユニットを有することができ、これらは、ハードウェアに対して相互から分離されている。
【００４７】
２．第一の実施形態  −  機能
以下では、図１及び２に示されるデジタルカメラ１０の機能を図３〜８に関連してより詳細に説明する。
【００４８】
図３は、ユーザの手６０で保持されているデジタルカメラ１０を示す。一般に、ユーザは、加えて、デジタルカメラ１０を左手で例えば対物レンズ１４の下で支える。しかしながら、原理上、右手６０のみでデジタルカメラ１０を保持することもでき、その基本的機能を操作できる。ハウジング１２の斜めの部分は、この目的のために、手６０の掌と親指の腹との間に挟まれ、それにより、人差し指６２は、トリガ３８を作動させることができる。したがって、手６０の親指６４は、表示スクリーン１８の第二の区画２４の上で縦方向に快適に動かされ得る。以下では、ユーザは、片目で電子ビューファインダ３４を見ることを前提とする。したがって、ユーザの頭部は、ハウジング１２の背面１６の真正面に位置付けられるため、ユーザの頭部は、図３には示されていない。
【００４９】
図４は、ビューファインダ表示スクリーンのコンテンツを示し、ユーザは、電子ビューファインダ３４を通して見てこれを観察する。基本的に、ハウジング１２の背面１６上の表示スクリーン１８のグラフィカルユーザインタフェースの全体が示される。したがって、ユーザは、電子ビューファインダ３４で最後に記録された画像３０’及びアイコン３２’も認識できる。このコンテンツを、表示スクリーン１８上に表示されるコンテンツから区別するために、関連する参照番号にはアポストロフィが付けられている。
【００５０】
ユーザの親指６４が、機能Ａに関連付けられるアイコンにタッチすると、これは、電子ビューファインダ３４でそのようにハイライトされ、これは、図４においてより濃い色で示されている。親指６４が次に引く動きで縦方向に下方にストロークすると、他の機能Ｂ及びＣに関連付けられるアイコン３２’が対応して連続的にそのようにハイライトされる。アイコンに関連付けられた機能をトリガするために様々な操作コンセプトを実装できる。例えば、親指６４を表示スクリーン１８の第二の区画２４上の関連するアイコンの上に特定の時間より長い時間にわたって置くことが考えられる。機能をトリガするための他の可能性は、親指６４を短時間持ち上げることである。タッチセンサ表面２０に使用される技術に応じて、圧力を強めることによっても機能をトリガすることができる。
【００５１】
ユーザが、機能Ａ〜Ｃからだけでなく、さらなる機能からの選択も行う場合、グラフィカルユーザインタフェースは、そのように設計され得、それにより、表示スクリーン１８の第二の区画２４に示される画像の詳細は、親指６４が第二の区画２４の下端に到達すると直ちに上方にスクロールされる。しかしながら、このようなスクロールの動きは、先行技術から知られているように、親指６４で第二の区画２４をこする動き又はカメラの別の制御ホイールによってもトリガされ得る。
【００５２】
表示スクリーン１８の第一の区画２２に対して第二の区画２４を斜めに配置することにより、ユーザは、ユーザが電子ビューファインダ３４を見ながら、その親指６４でタッチセンサ表示スクリーン１８上での自らの位置を容易に定めることができる。２つの区画２２、２４を相互に分離する屈曲稜線２６は、ユーザの親指６４にとって容易に触覚で認識される。親指６４は、したがって、図３に示される開始位置を「直接見ずに」見つけることができ、すなわち、ユーザは、自らの親指６４を見る必要がない。アイコン３２’は、この場合、屈曲稜線２６の近くに配置できるため、親指６４は、機能Ａ〜Ｃを選択するために縦方向に上下に移動する間に常に屈曲稜線２６に触れている状態であり、したがってそれにより縦方向に案内される。
【００５３】
アイコン３２に関連付けられた機能Ａ〜Ｃは、例えば、以下のようなデジタルカメラ１０の３つの基本機能であり得る。
−  ライブラリ機能Ａであって、その呼び出し時にメニューが開き、記憶されていた画像及び／又はビデオがライブラリからロードされて表示され得る、ライブラリ機能Ａ、
−  記録機能Ｂであって、その呼び出し時にデジタルカメラ１０が記録モードにされ、画像及び／又はビデオが記録され得る、記録機能Ｂ。したがって、イメージセンサ４９によって取得された画像は、直ちに電子ビューファインダ３４及び表示スクリーン１８上に表示され、トリガ３８を作動させることによって保存できる。記録モードでは、露出時間又はフラッシュ機能等の特に重要な設定を、タッチセンサ表示スクリーン１８の第二の区画２４を用いて設定できる。これらの重要な設定の一部又は全部は、代替的に、ユーザが機械的操作要素、すなわち設定ホイール４０又は押しボタン４２を利用して行うこともできる。特定の設定をユーザジェスチャと機械的操作要素の操作との組合せによって設定することも想定され得る。
−  設定機能Ｃであって、その呼び出し時にメニューが開き、より使用頻度の低い設定が変更され得る、設定機能Ｃ。
【００５４】
図５及び６は、ライブラリ機能Ａを選択して取得された表示スクリーン１８及び電子ビューファインダ３４上の表示を例として示す。記録された画像７０及びビデオ７２は、表示スクリーン１８の第一の区画２２に現れ、表示スクリーン１８上の対応する箇所をタッチすることによって拡大して示すことができる。表示スクリーン１８の第一の区画２２におけるナビゲーションを可能にするために、第二の区画２４に表示されるアイコンＡの上の親指６４の位置をカーソル位置と解釈することができる。したがって、ユーザは、その後、電子ビューファインダ３４を通して見て、親指３４で表示スクリーン１８の第一の区画２２に触ることができないか又はできたとしても難しい場合にも画像７０及びビデオ７２を選択できる。
【００５５】
図７及び８において例として示される表示スクリーン１８及び電子ビューファインダ３４上の表示は、設定機能Ｃを呼び出した後に得られた。サブメニューを認識でき、それを用いて設定ａ、ｂ、ｃ及びｄのパラメータを特定し得る。設定ｂを選択した後、追加的なスライドコントローラが重ねられ、これは、設定ｂのパラメータのための０〜１００の値を有するスケール８０の上で縦方向に移動可能である。図７において、スライドコントローラは、親指６４によって覆われており、電子ビューファインダ３４では参照番号８２’で示されている。
【００５６】
スライドコントローラ８２’を操作するために、ユーザは、設定ｂを選択した後に自らの親指６４を表示スクリーン１８の第二の区画２４上で水平方向に左に、親指６４が屈曲稜線２６を通過するまで導く。屈曲稜線２６に触れると、図８の電子ビューファインダ３４上のディスプレイ内でわかるように、スライドコントローラ８２’が重ねられる。縦方向に引く動きにより、ユーザは、次に自らの親指６４を利用してスライドコントローラ８２’を所望の縦方向の位置まで案内し、適当なジェスチャによって対応するパラメータを選択することができる。メニュー機能Ａ〜Ｃの選択の場合と同様に、例えば対応する位置でより長く停止すること、圧力を強めること、持ち上げること、又は持ち上げた後に再びタッチすることもジェスチャとして考えられる。屈曲稜線２６は、ここで、ユーザが親指６４を用いてスケール８０を見つけることも支援し、この場合、親指６４を見なくてよい。
【００５７】
３．第二の実施形態
図９及び１０は、本発明の第二の実施形態によるデジタルカメラ１０’をそれぞれ斜視図及び水平断面図で示す。
【００５８】
図９に示されるデジタルカメラ１０’もタッチセンサ表示スクリーン１８を有し、これは、第一の区画２２と第二の区画２４とに分割されている。しかしながら、２つの区画２２、２４は、第一の実施形態と異なり、相互に対して斜めに配置されておらず、同一平面内に延びる。２つの区画２２、２４は、第二の実施形態では、触覚認識可能な構造によって分けられ、これは、周囲の平面区画内の小さい突起８４の配置によって形成される。代替的に、凹部又はその両方も可能である。これらの突起８４は、縦方向に延びる線８６に沿って相互に狭い間隔をあけて配置される。ユーザの親指６４は、第一の実施形態によるデジタルカメラ１０の屈曲稜線２６と同様に、この線８６上でそれ自体の位置を定めることができる。
【００５９】
他に、図９及び１０に示されるデジタルカメラ１０’の機能及び動作は、第一の実施形態によるデジタルカメラ１０と異なっていない。
【００６０】
４．第三の実施形態
図１１及び１２は、本発明の第三の実施形態によるデジタルカメラ１０’’をそれぞれ斜視図及び水平断面図で示す。
【００６１】
デジタルカメラ１０’’において、触覚認識可能な構造は、突起によってではなく、周囲の平面区画内のより大きい凹部８８によって形成され、これは、ユーザの親指６４のためのくぼみグリップを形成する。このようにして、ユーザは、機能Ａ〜Ｃのアイコン３２が表示される位置を「直接見ずに」、すなわち電子ビューファインダ３４を見ながら、自らの手６０の親指６４を用いて見つけることができる（図１１では、わかりやすくするために機能Ａに関連付けられるアイコンのみが示されている）。
【００６２】
他に、図１１及び１２に示されるデジタルカメラ１０’’の機能及び動作は、第一の実施形態によるデジタルカメラ１０と異なっていない。
【００６３】
５．さらなる実施形態
理想的には、タッチセンサ表面２０を通してアクセス可能な操作の全部又は少なくとも一部は、ユーザによってセットアップメニューで構成され得る。カメラは、撮影条件に応じて好ましい操作の制御も提案し得る。例えば、暗い環境では、カメラは、フラッシュメニュー又はＩＳＯ感度の高い設定を提示し得る。高ダイナミックレンジのシーンでは、カメラは、自動的にトーンマッピング又はＨＤＲ設定を提示し得る。日中に応じて、カメラは、ホワイトバランスの変更を自動的に提示し得る。
【００６４】
ジェスチャ制御を介したカメラの操作は、一般に制御ホイール、ボタン又は他のハードウェア要素を援用して実現された設定を無効にするように設定できる。例えば、ユーザの好みを条件として、タッチジェスチャを介した入力は、カメラのＩＳＯホイールのＩＳＯ設定を無効にし得る。
【００６５】
タッチセンサエリアでアクセス可能な他の操作は、例えば、
−  レリーズ、シャッタスピード、ＩＳＯ感度設定、ホワイトバランス、開口制御、フラッシュ制御、露出及び／又はオートフォーカスの測定モード等の標準的制御、
−  露出及び／又はオートフォーカスのための測定エリアの位置及び大きさ、
−  画像フォーマット、画像サイズ及び画像回転の制御、
−  ガイドライン、グリッド、フレームの追加若しくは編集又は画像フレーミングの支援及び方向付けのための「ゴールデンルール」、
−  パノラマ、トーンマッピング又はＨＤＲのような特殊な撮像方法の選択、
−  フィルタモード、色制御、アポダイゼーション制御等の後処理操作、
−  投射歪みの調整、
−  画像のレーティング、タグ付け、選別
であり得るが、これらに限定されない。
【図１】
0006884882.tif 000002
【図２】
0006884882.tif 000003
【図３】
0006884882.tif 000004
【図４】
0006884882.tif 000005
【図５】
0006884882.tif 000006
【図６】
0006884882.tif 000007
【図７】
0006884882.tif 000008
【図８】
0006884882.tif 000009
【図９】
0006884882.tif 000010
【図１０】
0006884882.tif 000011
【図１１】
0006884882.tif 000012
【図１２】
0006884882.tif 000013